(57)【要約】 【課題】  冷却ファンが異常停止した場合に速やかに知らせる。【解決手段】  冷却ファン２１が異常停止したままコントロール運転されている場合における圧縮機２３の運転時間と停止時間とは、正常にコントロール運転されている場合と比較すると短いことが判明した。冷却運転中、計時部３０において圧縮機２３の運転時間と停止時間とが順次に計時される。冷却ファン２１が凍り付きや故障により異常停止すると、圧縮機２３の運転時間と停止時間とがともに正規の時間よりも短くなり、すなわち１サイクルにおける圧縮機２３の運転時間と停止時間とが、ともにそれぞれの下限時間（２分、５分）以下であることが検知され、かつ同状態が５サイクル継続されたら、異常判定部３１から異常信号が送出される。この異常信号を受けて、報知部３２により冷却ファン２１が異常状態にあることがユーザー等に知らされる。【選択図】  図４
2006317073.tif 000002
【特許請求の範囲】
【請求項１】
冷却器室には、圧縮機を含む冷凍装置と接続された冷却器と、この冷却器付近で生成された冷気を庫内に循環供給する冷却ファンとが設けられるとともに、庫内空気が前記冷却器に流入する流路には庫内温度を検知する温度センサが設けられ、この温度センサの検知温度が設定温度よりも高いか低いかにより前記圧縮機の運転と停止とが繰り返されることで庫内がほぼ設定温度に維持されるようにした冷却貯蔵庫において、
前記圧縮機の運転時間または停止時間を計時する計時手段と、
計時された運転時間または停止時間が所定範囲を外れた場合に異常信号を送出する異常判定手段と、
が具備されていることを特徴とする冷却貯蔵庫。
【請求項２】
冷却器室には、圧縮機を含む冷凍装置と接続された冷却器と、この冷却器付近で生成された冷気を庫内に循環供給する冷却ファンとが設けられるとともに、庫内空気が前記冷却器に流入する流路には庫内温度を検知する温度センサが設けられ、この温度センサの検知温度が設定温度よりも高いか低いかにより前記圧縮機の運転と停止とが繰り返されることで庫内がほぼ設定温度に維持されるようにした冷却貯蔵庫において、
前記圧縮機の運転時間と停止時間とを計時する計時手段と、
計時された運転時間と停止時間とがともに所定範囲を外れた場合に異常信号を送出する異常判定手段と、
が具備されていることを特徴とする冷却貯蔵庫。
【請求項３】
前記計時手段は、前記圧縮機の運転時間と停止時間とを順次に計時するようになっており、かつ前記異常判定手段は、１サイクルにおける運転時間と停止時間とが、ともにそれぞれに応じて設けられた下限時間以下であった場合に前記異常信号を送出するようになっていることを特徴とする請求項２記載の冷却貯蔵庫。
【請求項４】
前記異常判定手段は、１サイクルにおける運転時間と停止時間とが、ともにそれぞれに応じて設けられた下限時間以下である状態が、連続して所定の複数サイクル継続された場合に前記異常信号を送出するようになっていることを特徴とする請求項３記載の冷却貯蔵庫。
【請求項５】
前記異常信号を受けて異常状態であることを報知する報知手段が具備されていることを特徴とする請求項１ないし請求項４のいずれかに記載の冷却貯蔵庫。
【発明の詳細な説明】
【技術分野】
【０００１】
本発明は、冷却ファンの異常停止を検知する機能を備えた冷却貯蔵庫に関する。
【背景技術】
【０００２】
冷蔵庫の一形式として、特許文献１に記載されたものが知られている。このものを図７（Ａ）により概略的に示すと、冷蔵庫本体１の天井面に断熱性の冷却器室２が設けられ、冷却器室２内には、圧縮機を含む冷凍装置と接続された冷却器３と、冷却ファン４とが収容されており、圧縮機と冷却ファン４とが駆動されると、庫内空気が吸込口５から吸い込まれて冷却器３を通過する間に熱交換により冷気が生成され、この冷気が吹出口６から吹き出されて庫内に循環供給されることで、庫内が冷却される。この間、吸込口５側に設けられた庫内サーミスタ７によって庫内温度が検知され、その検知温度が、予め定められた設定温度よりも高いか低いかによって、圧縮機と冷却ファン４の運転と停止とが繰り返され、庫内がほぼ設定温度に維持されるようになっている。
【特許文献１】特開２００１−２４１８３４公報
【発明の開示】
【発明が解決しようとする課題】
【０００３】
ところで上記構造のものにおいて、冷却ファン４が凍り付きや故障等により異常停止することがないとはいえない。その場合は、圧縮機が駆動されて冷却器３が冷却状態にあるにも拘わらず、冷気が庫内に積極的に送られないため、庫内温度は次第に上昇する。一方、庫内サーミスタ７は、図７（Ｂ）の矢線ａに示すように、冷却器３から自然降下してくる冷気に晒されることで設定温度を下回る温度を検知し、これにより圧縮機が停止する。すると今度は、同図の矢線ｂに示すように、庫内空気が庫内サーミスタ７の位置に上昇するために、庫内サーミスタ７は設定温度を上回る温度を検知することで、圧縮機が再度駆動されるといった動作を繰り返す。
【０００４】
すなわち、圧縮機の運転と停止とが繰り返されるコントロール運転が継続されながらも、庫内が冷却されない事態を招くという問題があった。庫内温度を表示する機能が備えられている場合でも、それは庫内サーミスタ７の検知温度が表示されるのであって、設定温度付近の温度となるから、ユーザーは異常であるとは判断できない。  
本発明は上記のような事情に基づいて完成されたものであって、冷却ファンに異常停止の事態が生じた場合に、これを速やかに検知することを目的とする。
【課題を解決するための手段】
【０００５】
上記の目的を達成するための手段として、請求項１の発明は、冷却器室には、圧縮機を含む冷凍装置と接続された冷却器と、この冷却器付近で生成された冷気を庫内に循環供給する冷却ファンとが設けられるとともに、庫内空気が前記冷却器に流入する流路には庫内温度を検知する温度センサが設けられ、この温度センサの検知温度が設定温度よりも高いか低いかにより前記圧縮機の運転と停止とが繰り返されることで庫内がほぼ設定温度に維持されるようにした冷却貯蔵庫において、前記圧縮機の運転時間または停止時間を計時する計時手段と、計時された運転時間または停止時間が所定範囲を外れた場合に異常信号を送出する異常判定手段と、が具備されている構成としたところに特徴を有する。
【０００６】
請求項２の発明は、冷却器室には、圧縮機を含む冷凍装置と接続された冷却器と、この冷却器付近で生成された冷気を庫内に循環供給する冷却ファンとが設けられるとともに、庫内空気が前記冷却器に流入する流路には庫内温度を検知する温度センサが設けられ、この温度センサの検知温度が設定温度よりも高いか低いかにより前記圧縮機の運転と停止とが繰り返されることで庫内がほぼ設定温度に維持されるようにした冷却貯蔵庫において、前記圧縮機の運転時間と停止時間とを計時する計時手段と、計時された運転時間と停止時間とがともに所定範囲を外れた場合に異常信号を送出する異常判定手段と、が具備されている構成としたところに特徴を有する。
【０００７】
請求項３の発明は、請求項２に記載のものにおいて、前記計時手段は、前記圧縮機の運転時間と停止時間とを順次に計時するようになっており、かつ前記異常判定手段は、１サイクルにおける運転時間と停止時間とが、ともにそれぞれに応じて設けられた下限時間以下であった場合に前記異常信号を送出するようになっているところに特徴を有する。  
請求項４の発明は、請求項３に記載のものにおいて、前記異常判定手段は、１サイクルにおける運転時間と停止時間とが、ともにそれぞれに応じて設けられた下限時間以下である状態が、連続して所定の複数サイクル継続された場合に前記異常信号を送出するようになっているところに特徴を有する。  
請求項５の発明は、請求項１ないし請求項４のいずれかに記載のものにおいて、前記異常信号を受けて異常状態であることを報知する報知手段が具備されているところに特徴を有する。
【発明の効果】
【０００８】
＜請求項１の発明＞
冷却ファンが異常停止したままコントロール運転されている場合の現象について考察を加えたところ、圧縮機の運転時間と停止時間とが、正常にコントロール運転されている場合と比較すると短いことが判明した。  
これは、正常にコントロール運転されている場合は、冷気は庫内に循環されて熱交換により温度上昇しつつ温度センサに達するのであるから、温度センサが設定温度を下回る温度を検知するまでに時間が掛かり、その間圧縮機は運転されているのであるから、運転時間は長いものとなる。圧縮機が停止したのちは、庫内空気が温度センサの位置に達して、庫内温度の上昇とともに検知温度も高くなるが、庫内は一旦設定温度以下まで下がって低温になっているから、庫内温度が上昇するには時間が掛かり、そのため温度センサが設定温度を上回る温度を検知するまでに時間が掛かることとなって、その間圧縮機は停止しているのであるから、停止時間は長いものとなる。
【０００９】
一方、冷却ファンが異常停止したままコントロール運転されている場合については、圧縮機が運転されているときには、冷気が庫内に回されることなく冷却器から温度センサに向けて直接に自然降下するため、温度センサは比較的早い時間で設定温度を下回る温度を検知して圧縮機を停止することになり、結果、圧縮機の運転時間は短いものとなる。また圧縮機が停止したのちは、庫内空気が温度センサの位置に達することになるが、庫内には冷気が回ることなくむしろ温度上昇しているため、温度センサは比較的早い時間で設定温度を上回る温度を検知して圧縮機を再度運転することになり、圧縮機の停止時間は短いものとなる。
【００１０】
すなわち、当該冷却貯蔵庫が所定の冷凍能力を備え、また外気温度等の環境条件が所定であった場合において、正常にコントロール運転されているときには、圧縮機の運転時間と停止時間とが概ね所定の時間を費やすのに対して、冷却ファンが異常停止したままコントロール運転されている場合は、圧縮機の運転時間と停止時間とが、上記の所定時間よりは短くなる。したがって例えば、圧縮機の運転時間あるいは停止時間が、予め定められた時間よりも短い場合には、冷却ファンが異常停止していると判断することができる。
【００１１】
ただし上記と比べて、外気温度が低くて庫内設定温度との差が小さい場合や、冷凍能力が大きい場合には、圧縮機の運転時間が所定より短く、逆に停止時間は長くなる傾向となる。したがってこの場合は、冷却ファンの異常停止の有無の判定に利用できるのは、圧縮機の停止時間となる。  
一方、外気温度が高くて庫内設定温度との差が大きい場合や、冷凍能力が小さい場合には、圧縮機の停止時間が所定より短く、逆に運転時間は長くなる傾向となる。この場合は、冷却ファンの異常停止の有無の判定に利用できるのは、圧縮機の運転時間となる。
【００１２】
本発明は上記のような知見に基づいてなされており、冷却運転が行われている際に、計時手段が、冷却ファンの異常停止の有無の判定に利用できる圧縮機の運転時間または停止時間を計時しており、その計時された運転時間または停止時間が所定範囲を外れた場合に、異常判定手段から異常信号が送出される。  
上記の異常信号に基づいて冷却ファンに異常停止があったことを知り得、その結果、冷却ファンの補修等を早期に行うことが可能となり、それに伴い庫内を適正に冷却することが可能となる。また、冷却ファンが凍り付きを生じていたような場合には、モータの過熱に起因して周辺部品に悪影響を与えるおそれがあるが、モータの過熱が早期に抑えられて同悪影響が出ることを回避できる。また、圧縮機の運転時間と停止時間が正規の長い時間に戻るから、運転と停止の切り換え動作の回数が減少して、切換部材であるリレーの接点等の耐用寿命を延ばすことができる。また、圧縮機の運転時間が長くなることに伴い、冷媒中に混入された冷凍機油の戻りが良くなり、圧縮機における摺動部分の摩耗防止を確実に果たすことができる。
【００１３】
＜請求項２の発明＞
上記の考察から、圧縮機の運転時間と停止時間とがともに所定の時間よりも短い場合には、冷却ファンが異常停止していると判断できる。  
請求項２の発明では、冷却運転が行われている際に、計時手段が、圧縮機の運転時間と停止時間とを計時しており、計時された運転時間と停止時間とがともに所定範囲を外れた場合に、異常判定手段から異常信号が送出される。  
上記請求項１と同様の効果を得ることができる。それに加え、当該冷却貯蔵庫の冷凍能力や環境条件に応じて、冷却ファンの異常停止の有無の判定対象に、圧縮機の運転時間と停止時間とのいずれかを選定する必要がなくなり、制御系統が簡単にできる。
【００１４】
＜請求項３の発明＞
冷却運転が行われている際に、計時手段が圧縮機の運転時間と停止時間とを順次に計時しており、１サイクルにおける運転時間と停止時間とが、ともにそれぞれに応じて設けられた正規時間よりも短い下限時間以下であることが検知されると、異常判定手段から異常信号が送出される。  
＜請求項４の発明＞
異常判定手段は、１サイクルにおける運転時間と停止時間とが、ともにそれぞれに応じて設けられた正規時間よりも短い下限時間以下であって、かつ同状態が複数サイクル継続されたことを確認したら、異常信号を送出する。複数サイクルを確認することで、誤検知を確実に回避できる。  
＜請求項５の発明＞
異常判定手段からの異常信号を受けて、報知手段は冷却ファンが異常状態であることを報知し、ユーザーやあるいはサービスマンに直接に知らせることができる。冷却ファンの補修等の対応を早期に行うことができる。
【発明を実施するための最良の形態】
【００１５】
＜実施形態１＞
本発明の実施形態１を図１ないし図６に基づいて説明する。この実施形態ではプレハブ式の冷蔵庫を例示している。  
図１において、符号１０は、複数枚の断熱性のパネルを組み付けて形成された冷蔵庫本体であって、内部が貯蔵室１１とされており、前面に設けられた出入口に断熱扉（図示せず）が開閉可能に装着されている。  
冷蔵庫本体１０の天面には開口部１０Ａが形成され、この開口部１０Ａを覆うようにして冷却器室１３が設けられている。この冷却器室１３は、発泡スチロール等の発泡樹脂製の断熱材によって形成され、基部１４と、その上方に被着されるカバー１５とに二分割されている。
【００１６】
基部１４には、その底面の一側（同図の右側）に吸込口１７が、他側に吹出口１８が、それぞれ貯蔵室１１に開口して形成され、その間に除霜水を受けるドレンパン１９が設置されている。ドレンパン１９内には、吸込口１７に寄った前側の位置に冷却器２０が、その後面側にファンモータからなる冷却ファン２１が設置されている。冷却器２０は、冷却器室１３の外側に設置された圧縮機２３（図２）、凝縮器等からなる冷凍装置と冷媒配管により循環接続され、冷凍サイクルが構成されている。
【００１７】
また、ドレンパン１９の前後両側にはガード２５が突設されて、それぞれ吸込口１７と吹出口１８の上部位置に張り出しており、吸込口１７側のガード２５の上面に、庫内温度を検知する庫内サーミスタ２６が装着されている。庫内サーミスタ２６を吸込口１７側に設ける理由は、例えば吹出口１８側に設けると、生成された直後の冷気に晒されることで、実際の庫内温度よりもかなり低い温度となり、また貯蔵室１１内に設けると、貯蔵物の温度や断熱扉の開閉に伴う外気温度の影響を受けて、平均的な庫内温度とはならないため、実際の庫内温度に近い温度を安定して検知できる箇所として、同位置が選択されている。
【００１８】
冷却運転は、図２に示す運転制御部２８によって制御される。冷却運転は基本的には、圧縮機２３と冷却ファン２１とが駆動されることで行われ、庫内空気が吸込口１７から冷却器室１３内に吸い込まれて、冷却器２０を通過する間に熱交換により冷気が生成され、その冷気が吹出口１８から貯蔵室１１に吹き出されるといった循環供給が行われることで、貯蔵室１１内が冷却される。この間、吸込口１７側のガード２５に装備された庫内サーミスタ２６によって庫内温度が検知され、その検知温度が予め定められた設定温度よりも高いか低いかによって、圧縮機２３と冷却ファン２１の運転と停止とが制御され、これにより貯蔵室１１内がほぼ設定温度に維持されるようになっている。  
より具体的には、検知温度が上限設定温度（設定温度＋１〜３Ｋ）に達したところで圧縮機２３と冷却ファン２１とがオンし、下限設定温度（設定温度−１〜３Ｋ）に達したところで圧縮機２３と冷却ファン２１とがオフするように制御される。
【００１９】
さて、本実施形態の冷蔵庫では、上記した冷却ファン２１が凍り付きや故障等により異常停止した場合に、これを速やかに検知して知らせることができる機能を備えている。本機能を実現する具体的な手段は、以下のような知見に基づいて完成されている。  
コントロール運転は、既述したとおりに、庫内サーミスタ２６の検知温度が庫内の設定温度を超えたか下回ったかにより、圧縮機２３と冷却ファン２１の運転と停止とが制御されるが、冷却ファン２１に異常がなく、正常にコントロール運転されている場合は、図３に示すように、圧縮機２３の運転時間（オン時間）は５分で、停止時間（オフ時間）は６分であった。  
一方、冷却ファン２１が停止した状態でコントロール運転されている場合の圧縮機２３の運転時間と停止時間とを調べたところ、図４に示すように、運転時間が１．５分で、停止時間が４．５分であった。  
すなわち、冷却ファン２１が停止したままコントロール運転されている場合の圧縮機２３の運転時間と停止時間とが、正常にコントロール運転されている場合と比較すると短いことが判明した。
【００２０】
これは、正常にコントロール運転されている場合は、冷気は庫内に循環されて熱交換により温度上昇しつつ庫内サーミスタ２６に達するのであるから、庫内サーミスタ２６が設定温度を下回る温度を検知するまでに時間が掛かり、その間圧縮機２３は運転されているのであるから、運転時間は長いものとなる。圧縮機２３が停止したのちは、庫内空気が庫内サーミスタ２６の位置に上昇して、庫内温度の上昇とともに検知温度も高くなるが、庫内は一旦設定温度以下まで下がって低温になっているから、庫内温度が上昇するには時間が掛かり、そのため庫内サーミスタ２６が設定温度を上回る温度を検知するまでに時間が掛かることとなって、その間圧縮機２３は停止しているのであるから、停止時間は長いものとなる。
【００２１】
一方、冷却ファン２１が停止したままコントロール運転されている場合については、圧縮機２３が運転状態にあるときには、冷気が庫内に回されることなく冷却器２０から庫内サーミスタ２６に向けて直接に自然降下するため、庫内サーミスタ２６は比較的早い時間で設定温度を下回る温度を検知して圧縮機２３を停止することになり、結果、圧縮機２３の運転時間は短いものとなる。また圧縮機２３が停止状態となったのちは、庫内空気が庫内サーミスタ２６の位置に上昇することになるが、庫内には冷気が回ることなくむしろ温度上昇しているため、庫内サーミスタ２６は比較的早い時間で設定温度を上回る温度を検知して圧縮機２３を再度運転することになり、結果、圧縮機２３の停止時間は短いものとなる。
【００２２】
なお、外気温度が低くて庫内設定温度との差が小さい場合や、冷凍能力が大きい場合には、図５に示すように、圧縮機２３の運転時間が２分以下と短い場合があり得るが、逆に停止時間は１０分程度あることが確認できた。  
また、外気温度が高くて庫内設定温度との差が大きい場合や、冷凍能力が小さい場合には、図６に示すように、圧縮機２３の停止時間が５分以下と短い場合があり得るが、逆に運転時間は１０分程度あることが同じく確認できた。  
以上の考察により、圧縮機２３の運転時間と停止時間とがともに正規の時間よりも短い場合は、冷却ファン２１が停止していると判断できるとの結論に至った。
【００２３】
そして具体的な手段としては、図２に示すように、計時部３０と、異常判定部３１と、報知部３２とが備えられている。計時部３０は、上記した運転制御部２８の出力側に接続され、コントロール運転されている間の圧縮機２３の運転時間と停止時間とを順次に計時するものである。異常判定部３１では、計時部３０からの信号に基づき、１サイクルにおける圧縮機２３の運転時間が下限時間（２分）以下、停止時間が下限時間（５分）以下であり、かつ同状態が５サイクル継続された場合に、異常信号を送出するように機能する。５サイクルを見るのは、誤検知を回避するためである。また、圧縮機２３の運転時間と停止時間の各下限時間と、確認するサイクル数は、設定部３３によって設定される。また報知部３２は、異常判定部３１からの異常信号を受けて、冷却ファン２１が異常状態にあることを報知するものであって、例えば、冷蔵庫の操作パネル等に表示したり、警報を鳴らしたりしてユーザーに知らせることができるようになっている。
【００２４】
したがって冷蔵庫の稼働中において、冷却ファン２１が凍り付きや故障により異常停止すると、上記したように圧縮機２３の運転時間と停止時間とがともに正規の時間よりも短くなり、１サイクルにおける圧縮機２３の運転時間と停止時間とが、ともにそれぞれの下限時間（２分、５分）以下であることが検知され、かつ同状態が５サイクル継続されたら、異常判定部３１から異常信号が送出される。そして、この異常信号を受けて、報知部３２により冷却ファン２１が異常状態にあることが報知され、ユーザーに知らせることができる。それによりユーザーは、サービスマン等に連絡を取って、冷却ファン２１の補修を行うことができる。
【００２５】
このように本実施形態では、冷却ファン２１が異常停止した場合に、これを速やかにユーザー等に知らせることができる。その結果、冷却ファン２１の補修を早期に行うことが可能となり、それに伴い庫内を適正に冷却することが可能となる。また、冷却ファン２１が凍り付きを生じていたような場合には、モータの過熱に起因して周辺部品に悪影響を与えるおそれがあるが、モータの過熱が抑えられて同悪影響が出ることを回避できる。また、圧縮機２３の運転時間と停止時間が正規の長い時間に戻るから、運転と停止の切り換え動作の回数が減少して、切換部材であるリレーの接点の耐用寿命を延ばすことができる。また、圧縮機２３の運転時間が長くなることに伴い、冷媒中に混入された冷凍機油の戻りが良くなり、圧縮機２３における摺動部分の摩耗防止を確実に果たすことができる。
【００２６】
＜実施形態２＞
実施形態１で説明したように、外気温度が低くて庫内設定温度との差が小さい場合や、冷凍能力が大きい場合には、コントロール運転時において、圧縮機２３の運転時間が所定より短く、逆に停止時間は長くなる傾向となる（図５参照）。したがってこの場合は、圧縮機２３の運転時間が短くても、冷却ファン２１の異常停止の有無は判断できないが、停止時間については、それが下限時間以下に短くなれば、冷却ファン２１が異常停止していると判断できる。この場合は端的には、圧縮機２３の停止時間を、冷却ファン２１の異常停止の有無の判定に利用できる。
【００２７】
逆に、外気温度が高くて庫内設定温度との差が大きい場合や、冷凍能力が小さい場合には、コントロール運転時において、圧縮機２３の停止時間が所定より短く、逆に運転時間は長くなる傾向となる（図６参照）。この場合は、圧縮機２３の停止時間が短くても、冷却ファン２１の異常停止の有無は判断できないが、運転時間については、それが下限時間以下に短くなれば、冷却ファン２１が異常停止していると判断でき、端的には、圧縮機２３の運転時間を、冷却ファン２１の異常停止の有無の判定に利用できる。  
一方、外気温度については、外気温センサで直接検知するか、あるいは外気温が示されたカレンダから読み取ることができる。また、冷凍能力については、冷媒の凝縮温度を測定する等により検知できる。
【００２８】
そのためこの実施形態２では、上記のように外気温度の高低や、冷凍能力の大小を検知する手段を有し、かつその検知に基づき、冷却ファン２１の異常停止の有無の判定に利用できるのが、圧縮機２３の運転時間と停止時間のいずれかを選定し得る機能を備えている。  
そして、冷却運転が行われている際には、計時部３０が、冷却ファン２１の異常停止の有無の判定に利用できるとして選定された圧縮機２３の運転時間または停止時間を計時しており、計時された運転時間または停止時間が、それぞれの下限時間（２分または５分）以下であることが検知され、かつそれが例えば５回継続されたら、異常判定部３１から異常信号が送出される。そして、この異常信号を受けて、報知部３２により冷却ファン２１が異常状態にあることが報知され、ユーザー等に知らされる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）冷却ファンの異常の有無を判断するために設定する圧縮機の運転時間と停止時間の各下限時間と、継続サイクル数は、上記実施形態に例示したものに限らず、冷凍能力や設置場所等の各種条件に応じて、適宜に設定し得る。  
（２）圧縮機の運転時間と停止時間とは、複数回の積算値として計時するようにしてもよい。その場合は、例えば同積算値が所定値を下回ったら、冷却ファンに異常があったと判断される。  
（３）報知部は、ユーザーに知らせることとは別に、あるいは同時に、サービスマンに対して直接連絡が行くような機能を備えていてもよい。
【００３０】
（４）上記実施形態では、コントロール運転中は冷却ファンは圧縮機と同期して運転と停止とを制御されるものを例示したが、これに限らず、圧縮機が停止している間も、庫内空気の撹拌等のために冷却ファンを間欠運転する等、他の制御形態を採るようにしてもよい。  
（５）本発明は、冷却器室が冷蔵庫本体の側面に設けられた形式のものにも、同様に適用可能である。  
（６）また、上記実施形態に例示したプレハブ式の冷蔵庫に限らず、他の冷蔵庫、さらには冷凍庫等、冷却貯蔵庫全般に広く適用することができる。
【図面の簡単な説明】
【００３１】
【図１】本発明の実施形態１に係る冷却器室付近の断面図
【図２】冷却ファンの異常の検知・報知系統を示すブロック図
【図３】正規にコントロール運転されている場合における圧縮機の運転のタイミングチャート
【図４】冷却ファンが異常停止した場合の同タイミングチャート
【図５】外気温度が低い場合の同タイミングチャート
【図６】外気温度が高い場合の同タイミングチャート
【図７】（Ａ）従来例の断面図、（Ｂ）冷却ファンが異常停止した状態の温度検知を説明する断面図
【符号の説明】
【００３２】
１０…冷蔵庫本体  １１…貯蔵室  １３…冷却器室  １７…吸込口  １８…吹出口  ２０…冷却器  ２１…冷却ファン  ２３…圧縮機  ２６…庫内サーミスタ（温度センサ）  ２８…運転制御部  ３０…計時部（計時手段）  ３１…異常判定部（異常判定手段）  ３２…報知部（報知手段）  ３３…設定部
【図１】
2006317073.tif 000003
【図２】
2006317073.tif 000004
【図３】
2006317073.tif 000005
【図４】
2006317073.tif 000006
【図５】
2006317073.tif 000007
【図６】
2006317073.tif 000008
【図７】
2006317073.tif 000009